(57)【要約】【課題】  ユーザが無償で携帯電話をデジタルカメラの代用品として使用するのを防止する。【解決手段】  本発明は、携帯電話の撮影機能を制限するシステム１であって、被写体の撮影を可能とする撮影機能を備える携帯電話２と、携帯電話２に対して撮影機能を有効にする撮影機能用のＩＤ情報の付与とその取消とをおこなうコンピュータ３と、を備えている。そしてシステム１では、携帯電話２の撮影機能に関する使用許諾契約が結ばれたときに、前記撮影機能用のＩＤ情報がコンピュータ３から携帯電話２に付与され、前記使用許諾契約が解除されたときに、コンピュータ３により撮影機能用のＩＤ情報が携帯電話２から取り消される。【選択図】              図１
2005057469.tif 000002
【特許請求の範囲】
【請求項１】
撮影手段と、
通信サービス事業者との契約に基づくＩＤ情報を記憶する記憶手段と、
この記憶手段に記憶されたＩＤ情報が有効か無効かを判別する判別手段と、
この判別手段によりＩＤ情報が無効であると判別された場合、前記撮影手段による撮影動作を制限する制限手段と、
を備えることを特徴とする撮影機能を備えた携帯機器。
【請求項２】
前記記憶手段に記憶されているＩＤ情報が無効であるときに、機器外部からの操作により前記ＩＤ情報を有効にするよう前記記憶手段を制御する記憶制御手段と、
この記憶制御手段により前記ＩＤ情報が有効になったとき、前記制限手段による制限を解除する解除手段と、
を更に備えたことを特徴とする請求項１に記載の撮影機能を備えた携帯機器。
【請求項３】
通信サービスを管理する通信サービス事業者と当該通信サービスを利用するユーザとの契約内容と、この内容に基づくＩＤ情報とを、管理する管理システムであって、
前記ユーザが所有する携帯機器の通信機能に関するＩＤ情報とは別に前記携帯機器の撮影機能に関するＩＤ情報を前記契約内容に基づいて管理する管理手段を備えることを特徴とする管理システム。
【請求項４】
前記携帯機器と接続されたとき、当該携帯機器を所有するユーザとの契約内容に基づいて、少なくとも前記撮影機能を制御するための制御情報を送信する送信手段を備えることを特徴とする請求項３に記載の管理システム。
【請求項５】
撮影機能を備えた携帯機器における撮影機能制御方法であって、
メモリに記憶されている通信サービス事業者との契約に基づくＩＤ情報が有効か無効かを判別する判別ステップと、
この判別ステップにてＩＤ情報が無効であると判別した場合、前記撮影機能による動作を制限する制限ステップと、
からなることを特徴とする撮影機能制御方法。
【請求項６】
機器外部からの操作により前記ＩＤ情報を有効にするようメモリの記憶内容を制御する制御ステップと、
この制御ステップにより前記ＩＤ情報が有効になったとき、前記制限手段による制限を解除する解除ステップと、
を更に含むことを特徴とする請求項５に記載の撮影機能制御方法。
【発明の詳細な説明】
【技術分野】
【０００１】
本発明は、撮影機能を有する携帯電話等の携帯機器、この携帯機器を管理する管理システム、及び、撮影機能制限方法に関するものである。
【背景技術】
【０００２】
近頃では、「カメラ付き携帯」などと称される携帯電話が開発され、日本国内のみならず世界中で急速に普及している。この携帯電話は小型のデジタルカメラを内蔵しており、空間的に離れた他者と通話することができる「電話機能（通話機能）」の他に、被写体の撮影をおこなうことができる「撮影機能」も備えている（例えば特許文献１参照）。撮影機能付き携帯電話は、撮影機能をもたない汎用の携帯電話と同じように、通信サービス事業者とユーザとの間で電話機能に関する使用許諾契約が結ばれたときに他者との通話が可能となり、これと同時にその携帯電話がユーザの占有物となってユーザの意思により自由に被写体を撮影することができるようになっている。
【特許文献１】特開２００３−１１０６８１号公報
【発明の開示】
【発明が解決しようとする課題】
【０００３】
ところが、従来の撮影機能付き携帯電話は、通信サービス事業者とユーザとの間で交わされた使用許諾契約が解除されても、自主的に回収されない限りユーザの占有物であることに変わりはなく、ユーザがその携帯電話を携帯性に優れた単なるデジタルカメラとして使用することができ、撮影機能付き携帯電話を通常のデジタルカメラよりも安価で購入することも可能となっている。そのため、通信サービス事業者とユーザとの間で使用許諾契約が結ばれた直後にその使用許諾契約が解除され、ユーザが撮影機能付き携帯電話をデジタルカメラの代用品として使用するといった事態を招いてしまう。このような事態のもとでは、通信サービス事業者は期待していた通信料を得ることができず、また一方では、デジタルカメラの製造業者もデジタルカメラそのものを販売することによる利益を得ることができない。
【０００４】
本発明の目的は、ユーザが撮影機能付き携帯機器を無償でデジタルカメラの代用品として使用するのを防止することができる携帯機器、この携帯機器を管理する管理システム、及び、撮影機能制限方法を提供することである。
【課題を解決するための手段】
【０００５】
上記課題を解決するため、請求項１に記載の発明は、
撮影機能を備えた携帯機器であって、
撮影手段と、
通信サービス事業者との契約に基づくＩＤ情報を記憶する記憶手段と、
この記憶手段に記憶されたＩＤ情報が有効か無効かを判別する判別手段と、
この判別手段によりＩＤ情報が無効であると判別された場合、前記撮影手段による撮影動作を制限する制限手段と、
を備えることを特徴としている。
【０００６】
請求項２に記載の発明は、
請求項１に記載の撮影機能を備えた携帯機器において、
前記記憶手段に記憶されているＩＤ情報が無効であるときに、機器外部からの操作により前記ＩＤ情報を有効にするよう前記記憶手段を制御する記憶制御手段と、
この記憶制御手段により前記ＩＤ情報が有効になったとき、前記制限手段による制限を解除する解除手段と、
を更に備えたことを特徴としている。
【０００７】
請求項３に記載の発明は、
通信サービスを管理する通信サービス事業者と当該通信サービスを利用するユーザとの契約内容と、この内容に基づくＩＤ情報とを、管理する管理システムであって、
前記ユーザが所有する携帯機器の通信機能に関するＩＤ情報とは別に前記携帯機器の撮影機能に関するＩＤ情報を前記契約内容に基づいて管理する管理手段を備えることを特徴としている。
【０００８】
請求項４に記載の発明は、
請求項３に記載の管理システムにおいて、
前記携帯機器と接続されたとき、当該携帯機器を所有するユーザとの契約内容に基づいて、少なくとも前記撮影機能を制御するための制御情報を送信する送信手段を備えることを特徴としている。
【０００９】
請求項５に記載の発明は、
撮影機能を備えた携帯機器における撮影機能制御方法であって、
メモリに記憶されている通信サービス事業者との契約に基づくＩＤ情報が有効か無効かを判別する判別ステップと、
この判別ステップにてＩＤ情報が無効であると判別した場合、前記撮影機能による動作を制限する制限ステップと、
からなることを特徴としている。
【００１０】
請求項６に記載の発明は、
請求項５に記載の撮影機能制御方法において、
機器外部からの操作により前記ＩＤ情報を有効にするようメモリの記憶内容を制御する制御ステップと、
この制御ステップにより前記ＩＤ情報が有効になったとき、前記制限手段による制限を解除する解除ステップと、
を更に含むことを特徴としている。
【発明の効果】
【００１１】
請求項１に記載の発明では、判別手段によりＩＤ情報が無効であると判別された場合に、制限手段が撮影手段による撮影動作を制限するため、ユーザは、ＩＤ情報が有効な携帯機器を所有しない限り、その携帯機器で被写体の撮影をおこなうことができない。これにより、ユーザが無償で携帯機器をデジタルカメラの代用品として使用するのを防止することができる。
【００１２】
請求項３に記載の発明では、管理手段が、携帯機器の通信機能に関するＩＤ情報とは別に、携帯機器の撮影機能に関するＩＤ情報を管理するため、携帯機器の通信機能と撮影機能とを切り離した状態で別々に管理することができる。したがって請求項３に記載の発明では、通信機能とは別に撮影機能を制限することが可能であり、ユーザが無償で携帯機器をデジタルカメラの代用品として使用するのを防止することができる。
【００１３】
請求項５に記載の発明では、判別ステップでＩＤ情報が無効であると判別した場合に、制限ステップで撮影機能による撮影動作を制限するため、ＩＤ情報が有効でない限り、携帯機器で被写体の撮影をおこなうことができない。これにより、ユーザが無償で携帯機器をデジタルカメラの代用品として使用するのを防止することができる。
【発明を実施するための最良の形態】
【００１４】
以下、図面を参照しながら本発明の実施形態について説明する。ただし、発明の範囲は図示例に限定されない。
［第１の実施形態］
始めに図１〜図８を参照しながら第１の実施形態について説明する。
【００１５】
図１は携帯電話（携帯機器）２と、この携帯電話２に対し電話機能、および撮影機能に関するＩＤの付与・管理を行うシステム１の構成を示す概念図であり、図２は携帯電話２の内部構成を示すブロック図であり、図３はコンピュータ３（管理システム）の内部構成を示すブロック図である。
【００１６】
図１に示す通り、システム１では、電話本来の機能としての「電話機能（通話機能）」の他に被写体の撮影を可能とする「撮影機能」を備える携帯電話２と、携帯電話２の電話機能又は撮影機能を有効にするか無効にするかを切り替えるコンピュータ３とが用いられる。ただし、「携帯電話２」というのは撮影機能付きの携帯型の電話機すべてを意味しており、携帯電話２には撮影機能付きのＰＨＳ（Personal Handyphone System）も含まれる。
【００１７】
携帯電話２は上記の通り電話機能と撮影機能とを備えてはいるが、システム１とでは、ユーザと通信サービス事業者との間で携帯電話２の電話機能に関する使用許諾契約が結ばれたときに、電話機能を有効とする「電話機能用のＩＤ（Identification）情報」が携帯電話２に付与されてその携帯電話２の電話機能が有効になるようになっている。またこれと同様に、ユーザと通信サービス事業者、もしくは、ユーザと携帯電話２の製造メーカとの間で携帯電話２の撮影機能に関する使用許諾契約が結ばれたときに、撮影機能を有効にする「撮影機能用のＩＤ（Identification）情報」が携帯電話２に付与されてその携帯電話２の撮影機能が有効になるようになっている。
【００１８】
具体的に携帯電話２は図２に示す通り、ＣＰＵ（Central Processing Unit）（判別手段、制限手段、記憶制御手段、解除手段）２０，入力部２１，表示部２２，無線通信部２３，ＲＯＭ（Read Only Memory）（記憶手段）２４，ＲＡＭ（Random Access Memory）２５，撮影部２６（撮影手段），電源部２７，画像メモリ２８，通信部２９などから構成され、これらがバスにより互いに接続されている。
【００１９】
ＣＰＵ２０は、ＲＯＭ２４に記録されたシステムプログラムを読出・実行して携帯電話２の各部を制御するようになっている。またＣＰＵ２０は、入力部２１における入力操作にしたがいながらＲＯＭ２４に記録されたアプリケーションプログラムを読出・実行して携帯電話２の各種機能を実現するようになっている。
【００２０】
入力部２１は文字入力キー，数字入力キーその他各種機能に対応付けられたキーを備えており、ユーザによるキー操作で押下されたキーに対応する信号をＣＰＵ２０に出力するようになっている。また入力部２１には撮影部２６による被写体の撮影をおこなうシャッタキーが備えられており、入力部２１は、ユーザによるシャッタキーの操作で被写体を撮影する旨の制御信号をＣＰＵ２０に出力するようになっている。
【００２１】
表示部２２は液晶ディスプレイなどから構成されており、ＣＰＵ２０から入力された表示データに基づいてディスプレイ上に画像を表示するようになっている。また、表示部２２は、被写体の撮影時に撮影部２６の撮像素子から取り込まれた画像データをプレビュー画像として表示したり、実画像として表示したりするようになっている。
【００２２】
無線通信部２３は、通信サービス事業者が設置した無線基地局（図示略）との間で着信・発信などに係る無線信号の送受信をおこなうアンテナを備えており、ＣＰＵ２０から入力される指示に従いながら無線基地局との間で携帯電話２用の通信プロトコルを実行して送受話音声の送受信やデータ通信などを実行するようになっている。
【００２３】
ＲＯＭ２４は書き換え可能な記録媒体であって、ＣＰＵ２０により実行される携帯電話２用のアプリケーションプログラムや通信処理プログラムなどを記憶している。またＲＯＭ２４には、携帯電話２の電話機能を有効とする電話機能用のＩＤ情報と、撮影機能（撮影部２６で被写体を撮影する機能）を有効とする撮影機能用のＩＤ情報とが別々に記録されるようになっている。
【００２４】
ＲＡＭ２５は書き換え可能な半導体素子で構成されており、ＣＰＵ２０により実行される各種プログラムやこれらプログラムにより処理されたデータなどを一時的に格納するワークエリアを形成するようになっている。
【００２５】
撮影部２６は、ガラス，プラスチックなどからなる光学レンズと、ＣＣＤ（Charge Coupled Device），ＣＭＯＳ（Complementary Metal Oxide Semiconductor）などの撮像素子とから構成されており、光学レンズを介して入力される被写体の像を撮像素子で電気信号に変換して画像データを生成するようになっている。
【００２６】
電源部２７はリチウム電池，ニッケル電池，ニカド電池などの２次電池により構成されており、ユーザによる入力部２１の操作で電源が投入されると、ＣＰＵ２０の制御信号に応じてプラス側の端子とマイナス側の端子とから携帯電話２の各部を駆動する駆動回路に所定電圧の電源を供給するようになっている。
【００２７】
画像メモリ２８は半導体メモリなどから構成されており、撮影部２６により撮影された被写体の像を画像データとして記憶するようになっている。
【００２８】
通信部２９は、携帯電話２同士の通信，コンピュータ３との通信などを可能とするインターフェースである。
【００２９】
このような上記構成を備える携帯電話２では、各種の機能をそれぞれ実現する複数のモードが備えられており、ユーザによる入力部２１の操作に応じて、複数のモードのなかから特定のモードが選択され、その選択されたモードの処理がＣＰＵ２０により実行されるようになっている。一例として携帯電話２には、撮影部２６により被写体を撮影する「撮影モード」，画像データとして画像メモリ２８に格納した画像を表示部２２のディスプレイに表示する「閲覧モード」，画像データとして画像メモリ２８に格納した画像を他の携帯電話２に転送する「転送モード」などが備えられている。
【００３０】
コンピュータ３は、携帯電話２を通信端末として認可する通信サービス事業者、この通信サービス事業者より認可を得ている特約販売店、及び、携帯電話機２の製造メーカの製品を販売する販売店に設置されている。コンピュータ３は、携帯電話２に対して電話機能を有効にする電話機能用のＩＤ情報の付与とその取消をおこなうことができるようになっており、さらに、携帯電話２に対して撮影部２６による被写体の撮影機能を有効にする撮影機能用のＩＤ情報の付与とその取消をもおこなうことができるようになっている。
【００３１】
具体的にコンピュータ３は図３に示す通り、ＣＰＵ（Central Processing Unit）３０（管理手段），入力部３１，表示部３２，ＲＯＭ（Read Only Memory）３３，ＲＡＭ（Random Access Memory）３４，通信部３５（送信手段）などから構成されており、これらが互いにバスにより接続されている。
【００３２】
ＣＰＵ３０は、ＲＯＭ３３に記録されたシステムプログラムを読出・実行してコンピュータ３の各部を制御するようになっている。ＣＰＵ３０はユーザによる入力部３１の操作にしたがいながらＲＯＭ３３に記録されたアプリケーションプログラムを読出・実行してコンピュータ３の各種機能を実現するようになっている。
【００３３】
入力部３１は文字入力キー，テンキー，カーソルキー，各種機能キーなどを配列したキーボードを備えており、キーボードで押下されたキーに対応する信号をＣＰＵ３０に出力するようになっている。また入力部３１には必要に応じてマウス、タッチパネルなどのポインティングデバイスその他の入力装置が備えられてもよい。
【００３４】
表示部３２はＣＲＴ（Cathode Ray Tube）ディスプレイや液晶ディスプレイなどから構成されており、ＣＰＵ３０から入力される表示データに基づいてディスプレイ上に画像を表示するようになっている。
【００３５】
ＲＯＭ３３はＣＰＵ３０により実行されるシステムプログラム，アプリケーションプログラムなどを記憶している。またＲＯＭ３３には、多数台分の携帯電話２の電話機能用のＩＤ情報と撮影機能用のＩＤ情報とがそれぞれ記録されている。
【００３６】
ＲＡＭ３４は、ＣＰＵ３０により実行される各種プログラムやこれらプログラムにより処理されたデータなどを一時的に格納するワークエリアを形成するようになっている。
【００３７】
通信部３５は、携帯電話２の通信部２９との通信などを可能とするインターフェースである。
【００３８】
なお、システム１では、「電話機能用のＩＤ情報」は、携帯電話２の電話番号に関する情報であって他の携帯電話２との差別化を図る必要から携帯電話２ごとに異なっており、「撮影機能用のＩＤ情報」も上記の電話機能用のＩＤ情報と同様に、他の携帯電話２と差別化を図る理由から携帯電話２ごとに異なっている。ただし、「撮影機能用のＩＤ情報」は、携帯電話２の撮影機能を有効にすることができれば足りるという理由から複数台の携帯電話２のすべてにわたって同じであってもよい。
【００３９】
次に、図４を参照しながら、ユーザと通信サービス事業者との間で携帯電話２の電話機能、又はユーザと通信サービス事業者若しくは製造メーカとの間で撮影機能に関する使用許諾契約が結ばれたときの契約手続・処理を説明する。
【００４０】
尚、本実施の形態においては、ユーザと通信サービス事業者、及び、ユーザと製造メーカとの直接的な契約手続・処理について詳述するが、電話機能に関しては、通信サービス事業者より契約委託を受けている特定の販売店とユーザとの間で直接的な契約手続・処理がなされても良い。この場合、後述のコンピュータ３は、予め契約可能な電話機能用のＩＤ、及び撮影機能用のＩＤを対として所定台数分記憶していることになる。
【００４１】
図４はコンピュータ３のＣＰＵ３０が実行する処理であって、携帯電話２の電話機能又は撮影機能を有効にする処理を示すフローチャートである。
【００４２】
まず、携帯電話２の電話機能及び撮影機能のうち、どの機能に関する使用許諾契約が結ばれたかが、コンピュータ３の入力部３１の操作によりコンピュータ３のＲＯＭ３３に記録される。
【００４３】
そして携帯電話２の通信部２９とコンピュータ３の通信部３５とが専用のケーブルにより接続され、携帯電話２とコンピュータ３とが互いに通信可能な状態（図１参照）となったときに、コンピュータ３のＣＰＵ３０は、ＲＯＭ３３に記録された契約状況に基づき、ユーザと通信サービス事業者との間で携帯電話２の電話機能に関する使用許諾契約が結ばれたか否かを判定する（ステップＳ１）。なお、携帯電話２の通信部２９とコンピュータ３の通信部３５との間の通信を赤外線による通信，近接無線通信による通信などにより行ってもよい。
【００４４】
予めユーザと通信サービス事業者との取り決めにより、携帯電話２の電話機能に関する使用許諾契約が結ばれていたら（ステップＳ１：ＹＥＳ）、コンピュータ３のＣＰＵ３０は、通信部３５から携帯電話２の通信部２９を通じて、ＲＯＭ３３に記録された電話機能用のＩＤ情報を携帯電話２に付与する処理をおこなう（ステップＳ２）。これにより、電話機能用のＩＤ情報が携帯電話２のＲＯＭ２４に記録され、携帯電話２は電話本来の電話機能が有効な状態になる。
【００４５】
ステップＳ２の処理で携帯電話２に電話機能用のＩＤ情報が付与された後、又はステップＳ１の処理で携帯電話２の電話機能に関する使用許諾契約が結ばれていないと判定されたら（ステップＳ１：ＮＯ）、コンピュータ３のＣＰＵ３０は、ＲＯＭ３３に記録された契約状況に基づき、ユーザと通信サービス事業者、もしくは、ユーザと製造メーカとの間で携帯電話２の撮影機能に関する使用許諾契約が結ばれたか否かを判定する（ステップＳ３）。
【００４６】
携帯電話２の撮影機能に関する使用許諾契約が結ばれていたら（ステップＳ３：ＹＥＳ）、コンピュータ３のＣＰＵ３０は、通信部３５から携帯電話２の通信部２９を通じて、ＲＯＭ３３に記録された撮影機能用のＩＤ情報を携帯電話２に付与する処理をおこなう（ステップＳ４）。これにより、撮影機能用のＩＤ情報が携帯電話２のＲＯＭ２４に記録され、携帯電話２は撮影機能が有効な状態になる。すなわち携帯電話２は撮影部２６による被写体の撮影が可能な状態になる。
【００４７】
ステップＳ４の処理で携帯電話２に撮影機能用のＩＤ情報が付与された後、又はステップＳ３の処理でＣＰＵ３０により携帯電話２の撮影機能に関する使用許諾契約が結ばれていないと判定されたら（ステップＳ３：ＮＯ）、コンピュータ３のＣＰＵ３０で実行される処理がすべて終了して契約手続・処理が終了する。
【００４８】
上記の契約手続・処理が終了した時点では、携帯電話２は（１）電話機能のみが有効な状態（２）撮影機能のみが有効な状態（３）電話機能及び撮影機能の両機能が有効な状態のいずれかの状態となる。
【００４９】
次に、図５を参照しながら、ユーザが携帯電話２の撮影部２６により被写体を撮影するときの携帯電話２の動作を説明する。
【００５０】
図５は携帯電話２のＣＰＵ２０が実行する被写体の撮影処理を示すフローチャートである。
【００５１】
携帯電話２に具備された複数のモードのなかから１種類のモードを選択可能な状態において、携帯電話２のＣＰＵ２０は、ユーザによる入力部２１の操作で撮影モードが選択されたか否かを判定する（ステップＳ１０）。撮影モードが選択されずに撮影モード以外の他のモードが選択されたら（ステップＳ１０：ＮＯ）、ＣＰＵ２０はその選択されたモードの処理をおこなう（ステップＳ１１）。
【００５２】
撮影モードが選択されたら（ステップＳ１０：ＹＥＳ）、ＣＰＵ２０は、携帯電話２のＲＯＭ２４に撮影機能用のＩＤ情報が記録されているか否かを判別して、携帯電話２の撮影機能が有効であるか否かを判定する（ステップＳ１２）。
【００５３】
携帯電話２の撮影機能が無効であったら、つまり携帯電話２に撮影機能用のＩＤ情報が付与されていなかったら、ＣＰＵ２０は、携帯電話２の撮影機能が無効である旨をユーザに通知する処理をおこない、表示部２２のディスプレイに「撮影機能無効」などのメッセージを表示させる（ステップＳ１３）。ステップＳ１３の処理が終了したら、撮影モードの処理がすべて終了し、携帯電話２は、複数のモードのなかから１種類のモードを選択可能な元の状態に戻る。つまりステップＳ１２の処理でＣＰＵ２０が携帯電話２の撮影機能は無効であると判定したら、ユーザは携帯電話２の撮影部２６で被写体を撮影することができない。
【００５４】
一方、携帯電話２の撮影機能が有効であったら、つまり携帯電話２に撮影機能用のＩＤ情報が付与されていたら、ＣＰＵ２０は、表示部２２のディスプレイの表示状態を撮影モードの選択前の状態から撮影モードの選択後の状態に切り替える処理をおこなう（ステップＳ１４）。これにより、複数のモードを表示していた表示部２２のディスプレイが自動的に撮影モードに固有の表示に切り替わる。
【００５５】
その後、ＣＰＵ２０は、ユーザによる入力部２１の操作でシャッタキーが押下されたか否かを判定する（ステップＳ１５）。所定の時間が経過してもユーザによる入力部２１の操作でシャッタキーが押下されなかったら（ステップＳ１５：ＮＯ）、撮影モードの処理がすべて終了し、携帯電話２は、複数のモードのなかから１種類のモードを選択可能な元の状態に戻る。
【００５６】
所定の時間以内にユーザによる入力部２１の操作でシャッタキーが押下されたら（ステップＳ１５：ＹＥＳ）、ＣＰＵ２０は、撮影部２６で被写体を撮影する処理をおこない、撮影部２６で撮影した被写体の像を画像データとして画像メモリ２８に格納する（ステップＳ１６）。
【００５７】
その後、ＣＰＵ２０は、ユーザによる入力部２１の操作で撮影モードが終了されたか否かを判定する（ステップＳ１７）。撮影モードが終了されなかったら（ステップＳ１７：ＮＯ）、ＣＰＵ２０は、上記したステップＳ１５及びステップＳ１６の処理を繰り返しおこなう。撮影モードが終了されたら（ステップＳ１７：ＹＥＳ）、撮影モードの処理がすべて終了し、携帯電話２は、複数のモードのなかから１種類のモードを選択可能な元の状態に戻る。
【００５８】
次に、図６を参照しながら、ユーザが携帯電話２に保存された画像を閲覧するときの携帯電話２の動作を説明する。
【００５９】
図６は携帯電話２のＣＰＵ２０が実行する画像データの閲覧処理を示すフローチャートである。
【００６０】
携帯電話２に具備された複数のモードのなかから１種類のモードを選択可能な状態において、携帯電話２のＣＰＵ２０は、ユーザによる入力部２１の操作で閲覧モードが選択されたか否かを判定する（ステップＳ２０）。閲覧モードが選択されずに閲覧モード以外の他のモードが選択されたら（ステップＳ２０：ＮＯ）、ＣＰＵ２０はその選択されたモードの処理をおこなう（ステップＳ２１）。
【００６１】
閲覧モードが選択されたら（ステップＳ２０：ＹＥＳ）、ＣＰＵ２０は、携帯電話２のＲＯＭ２４に撮影機能用のＩＤ情報が記録されているか否かを判別して、携帯電話２の撮影機能が有効であるか否かを判定する（ステップＳ２２）。
【００６２】
携帯電話２の撮影機能が無効であったら、つまり携帯電話２に対して撮影機能用のＩＤ情報が付与されていなかったら、ＣＰＵ２０は、画像の閲覧が不可である旨をユーザに通知する処理をおこない、表示部２２のディスプレイに「閲覧不可」などのメッセージを表示させる（ステップＳ２３）。ステップＳ２３の処理が終了したら、閲覧モードの処理がすべて終了し、携帯電話２は、複数のモードのなかから１種類のモードを選択可能な元の状態に戻る。つまりステップＳ２２の処理でＣＰＵ２０が携帯電話２の撮影機能は無効であると判定したら、ユーザは表示部２２のディスプレイを通じて画像メモリ２８に格納された画像を閲覧することができない。
【００６３】
一方、携帯電話２の撮影機能が有効であったら、つまり携帯電話２に撮影機能用のＩＤ情報が付与されていたら、ＣＰＵ２０は、表示部２２のディスプレイの表示状態を閲覧モードの選択前の状態から閲覧モードの選択後の状態に切り替える処理をおこなう（ステップＳ２４）。これにより、複数のモードを表示していた表示部２２のディスプレイが自動的に閲覧モードに固有の表示に切り替わる。
【００６４】
その後、ＣＰＵ２０は、画像メモリ２８に格納された１又は２以上の画像のなかからユーザによる入力部２１の操作で選択された画像を表示部２２のディスプレイに表示させる処理をおこなう（ステップＳ２５）。これにより、携帯電話２の表示部２２のディスプレイには携帯電話２に保存された画像のなかからユーザ自身により選択された画像が表示され、ユーザは表示部２２のディスプレイを通じてその画像を閲覧することができる。
【００６５】
その後、ＣＰＵ２０は、ユーザによる入力部２１の操作で閲覧モードが終了されたか否かを判定する（ステップＳ２６）。閲覧モードが終了されなかったら（ステップＳ２６：ＮＯ）、ＣＰＵ２０は、上記したステップＳ２５の処理を繰り返しおこなう。閲覧モードが終了されたら（ステップＳ２６：ＹＥＳ）、閲覧モードの処理がすべて終了し、携帯電話２は、複数のモードのなかから１種類のモードを選択可能な元の状態に戻る。
【００６６】
次に、図７を参照しながら、ユーザが携帯電話２に保存された画像を他の携帯電話２に転送するときの携帯電話２の動作を説明する。
【００６７】
図７は携帯電話２のＣＰＵ２０が実行する画像データの転送処理を示すフローチャートである。
【００６８】
携帯電話２の通信部２９と他の携帯電話２の通信部２９とが専用のコネクタで接続されて互いに通信可能な状態において、画像を転送する側の携帯電話２が複数のモードのなかから１種類のモードを選択可能な状態のときに、画像を転送する側の携帯電話２のＣＰＵ２０は、ユーザによる入力部２１の操作で転送モードが選択されたか否かを判定する（ステップＳ３０）。転送モードが選択されずに転送モード以外の他のモードが選択されたら（ステップＳ３０：ＮＯ）、ＣＰＵ２０はその選択されたモードの処理をおこなう（ステップＳ３１）。
【００６９】
転送モードが選択されたら（ステップＳ３０：ＹＥＳ）、ＣＰＵ２０は、携帯電話２のＲＯＭ２４に撮影機能用のＩＤ情報が付与されているか否かを判別して、携帯電話２の撮影機能が有効であるか否かを判定する（ステップＳ３２）。
【００７０】
携帯電話２の撮影機能が無効であったら、つまり携帯電話２に撮影機能用のＩＤ情報が付与されていなかったら、ＣＰＵ２０は、画像の転送が不可である旨をユーザに通知する処理をおこない、表示部２２のディスプレイに「転送不可」などのメッセージを表示させる（ステップＳ３３）。ステップＳ３３の処理が終了したら、転送モードの処理がすべて終了し、携帯電話２は、複数のモードのなかから１種類のモードを選択可能な元の状態に戻る。つまりステップＳ３２の処理でＣＰＵ２０が携帯電話２の撮影機能は無効であると判定したら、ユーザは画像メモリ２８に格納された画像を他の携帯電話２に転送することができない。
【００７１】
一方、携帯電話２の撮影機能が有効であったら、つまり携帯電話２に撮影機能用のＩＤ情報が付与されていたら、ＣＰＵ２０は、表示部２２のディスプレイの表示状態を転送モードの選択前の状態から転送モードの選択後の状態に切り替える処理をおこなう（ステップＳ３４）。これにより、複数のモードを表示していた表示部２２のディスプレイが自動的に転送モードに固有の表示に切り替わる。
【００７２】
その後、ＣＰＵ２０は、画像メモリ２８に格納された１又は２以上の画像をリスト（一覧表）として表示部２２のディスプレイに表示させる処理をおこなう（ステップＳ３５）。これにより、携帯電話２の表示部２２のディスプレイには、携帯電話２の画像メモリ２８に保存された画像がリストアップされた状態で表示され、ユーザは表示部２２のディスプレイを通じてその画像のリストを閲覧することができる。
【００７３】
画像メモリ２８に格納された画像がリストアップされたら、ＣＰＵ２０は、ユーザによる入力部２１の操作で画像のリストのなかから特定の画像が選択されたか否かを判定する（ステップＳ３６）。所定の時間が経過しても特定の画像が選択されなかったら（ステップＳ３６：ＮＯ）、転送モードの処理がすべて終了し、携帯電話２は、複数のモードのなかから１種類のモードを選択可能な元の状態に戻る。
【００７４】
特定の画像が選択されたら（ステップＳ３６：ＹＥＳ）、ＣＰＵ２０は、選択された画像を画像メモリ２８から他の携帯電話２に転送する処理をおこなう（ステップＳ３７）。これにより、画像を転送する側の携帯電話２に保存されていた画像が他の携帯電話２に転送される。
【００７５】
その後、ＣＰＵ２０は、ユーザによる入力部２１の操作で転送モードが終了されたか否かを判定する（ステップＳ３８）。転送モードが終了されなかったら（ステップＳ３８：ＮＯ）、ＣＰＵ２０は、上記したステップＳ３５からステップＳ３７までの処理を繰り返しおこなう。転送モードが終了されたら（ステップＳ３８：ＹＥＳ）、転送モードの処理がすべて終了し、携帯電話２は、複数のモードのなかから１種類のモードを選択可能な元の状態に戻る。
【００７６】
次に、図８を参照しながら、ユーザと通信サービス事業者との間で結ばれた携帯電話２の電話機能に関する使用許諾契約が解除されたときの解約手続・処理、及び、ユーザと通信サービス事業者、若しくはユーザと製造メーカとの間で結ばれた撮影機能に関する使用許諾契約が解除されたときの解約手続・処理を説明する。
【００７７】
図８はコンピュータ３のＣＰＵ３０が実行する処理であって、携帯電話２の電話機能及び撮影機能を無効にする処理を示すフローチャートである。
【００７８】
まず、携帯電話２の電話機能及び撮影機能のうち、どの機能に関する使用許諾契約が解除されたかが、コンピュータ３の入力部３１の操作によりコンピュータ３のＲＯＭ３３に記録される。
【００７９】
そして携帯電話２の通信部２９とコンピュータ３の通信部３５とが専用のケーブルにより接続され、携帯電話２とコンピュータ３とが互いに通信可能な状態（図１参照）となったときに、コンピュータ３のＣＰＵ３０は、ＲＯＭ３３に記録された解約状況に基づき、携帯電話２の電話機能に関する使用許諾契約が解除されたか否かを判定する（ステップＳ４０）。なお、携帯電話２の通信部２９とコンピュータ３の通信部３５との間の通信を赤外線による通信，近接無線通信による通信などによりおこなってもよい。
【００８０】
携帯電話２の電話機能に関する使用許諾契約が解除されていたら（ステップＳ４０：ＹＥＳ）、コンピュータ３のＣＰＵ３０は、通信部３５から携帯電話２の通信部２９を通じて、携帯電話２から電話機能用のＩＤ情報を取り消す処理をおこなう（ステップＳ４１）。これにより、電話機能用のＩＤ情報が携帯電話２のＲＯＭ２４から消去され、携帯電話２は電話本来の電話機能が無効となる（電話機能を失う）。
【００８１】
ステップＳ４１の処理で携帯電話２から電話機能用のＩＤ情報が取り消された
後、又はステップＳ４０の処理でＣＰＵ３０により携帯電話２の電話機能に関する使用許諾契約が解除されていないと判定されたら（ステップＳ４０：ＮＯ）、コンピュータ３のＣＰＵ３０は、ＲＯＭ３３に記録された解約状況に基づき、携帯電話２の撮影機能に関する使用許諾契約が解除されたか否かを判定する（ステップＳ４２）。
【００８２】
携帯電話２の撮影機能に関する使用許諾契約が解除されていたら（ステップＳ４２：ＹＥＳ）、コンピュータ３のＣＰＵ３０は、通信部３５から携帯電話２の通信部２９を通じて、携帯電話２から撮影機能用のＩＤ情報を取り消す処理をおこなう（ステップＳ４３）。これにより、撮影機能用のＩＤ情報が携帯電話２のＲＯＭ２４から消去され、携帯電話２は撮影機能が無効な状態になる。すなわち携帯電話２は撮影部２６による被写体の撮影が不可な状態になる。
【００８３】
ステップＳ４３の処理で携帯電話２から撮影機能用のＩＤ情報が取り消された後、又はステップＳ４２の処理でＣＰＵ３０により携帯電話２の撮影機能に関する使用許諾契約が解除されていないと判定されたら（ステップＳ４２：ＮＯ）、コンピュータ３のＣＰＵ３０で実行される処理がすべて終了して解約手続・処理が終了する。
【００８４】
上記の解約手続・処理が終了した時点では、携帯電話２は（１）電話機能のみが有効な状態（２）撮影機能のみが有効な状態（３）電話機能及び撮影機能の両機能が無効な状態のいずれかの状態となる。
【００８５】
以上のシステム１では、携帯電話２の電話機能又は撮影機能に関する各使用許諾契約が別々に結ばれる構成となっており、ユーザは、撮影機能に関する使用許諾契約を結ぶことで携帯電話２の撮影機能を実現させて、撮影部２６による被写体の撮影や画像メモリ２８に保存された画像の閲覧、画像メモリ２８に保存された画像の他の携帯電話２への転送などをおこなうことができるようになっている。逆に言えば、ユーザは、電話機能に関する使用許諾契約とは別に、撮影機能に関する使用許諾契約を結ばない限り、携帯電話２の撮影機能を実現することができない。このようにシステム１では、携帯電話２の撮影機能をユーザと通信サービス事業者との間で結ぶ使用許諾契約の有無により制限することができるため、ユーザが携帯電話２をデジタルカメラの代用品として無償で使用するのを防止することができる。
［第２の実施形態］
続いて図９〜図１１を参照しながら第２の実施形態について説明する。ただし、本第２の実施形態では、上記第１の実施形態で説明した携帯電話２と同様の携帯電話が用いられるため、本第２の実施形態で用いられる携帯電話とそれを構成する各部には上記第１の実施形態と同様の符号を付して当該携帯電話とそれを構成する各部の詳細な説明を省略している。
【００８６】
図９はネットワークシステム（管理システム）１００の構成を示す概念図であり、図１０はサーバ４の内部構成を示すブロック図である。
【００８７】
図９に示す通り、ネットワークシステム１００では、携帯電話２と、携帯電話２に撮影機能用のＩＤ情報を付与するサーバ４、携帯電話２に電話機能用のＩＤ情報を付与するサーバ６とが用いられ、携帯電話２とサーバ４とがネットワーク５を介して互いに通信可能な状態において、サーバ４が携帯電話２に撮影機能用のＩＤ情報を提供することにより携帯電話２の撮影機能を有効にすることができるようになっている。
【００８８】
携帯電話２は上記第１の実施形態で説明した通り、携帯電話２の電話機能に関する使用許諾契約が結ばれたときに、電話機能用のＩＤ情報が付与されて電話機能が有効になるが、汎用の携帯電話と同様に、電話機能が有効となったときには、無線通信部２３によりネットワーク５を介してサーバ４との間で通信をおこなうことができるようになっている。
【００８９】
ネットワーク５は電話回線網，ＩＳＤＮ（Integrated Services Digital Network）回線網，専用線，移動体通信網，通信衛星回線，ＣＡＴＶ（Cable TV）回線網などの各種通信回線とそれらを接続するインターネットサービスプロバイダ基地局などから構成されている。
【００９０】
サーバ４は携帯電話２の製造メーカが管理されており、携帯電話２が電話機能を取得したときに、ネットワーク５を介して携帯電話２に撮影機能用のＩＤ情報を提供できるようになっている。
【００９１】
具体的にサーバ４は図１０に示す通り、ＣＰＵ（Central Processing Unit）４０（管理手段），入力部４１，第１の通信部４２，ＲＡＭ（Random Access Memory）４３，ＲＯＭ４４，第２の通信部４５（送信手段）などから構成されており、これらが互いにバスにより接続されている。
【００９２】
ＣＰＵ４０はＲＯＭ４４に記録されたシステムプログラムを読出・実行してサーバ４の各部を制御するようになっている。またＣＰＵ４０は、ユーザによる入力部４１の入力操作にしたがいながら又は第１の通信部４２若しくは第２の通信部４５で受信した信号に基づきながらＲＯＭ４４に記録されたアプリケーションプログラムを読出・実行してサーバ４の各種機能を実現するようになっている。
【００９３】
入力部４１は文字入力キー，テンキー，カーソルキー，各種機能キーなどを配列したキーボードを備えており、キーボードで押下されたキーに対応する信号をＣＰＵ４０に出力するようになっている。入力部４１には、必要に応じてマウス，タッチパネルなどのポインティングデバイスその他の入力装置が備えられてもよい。
【００９４】
第１の通信部４２はＬＡＮ（Local Area Network），ＷＡＮ（Wide Area Network），インターネットなどのネットワーク５に接続された伝送媒体に接続可能なインターフェースである。第１の通信部４２はモデム，ターミナルアダプタなどにより構成されており、電話回線，ＩＳＤＮ回線，専用線，移動体通信回線，通信衛星回線，ＣＡＴＶ回線などの通信回線を介して外部機器との通信をおこなうための制御をおこなうようになっている。
【００９５】
ＲＡＭ４３はＣＰＵ４０により実行される各種プログラムやこれらプログラムにより処理されたデータを一時的に格納するワークエリアを形成するようになっている。
【００９６】
ＲＯＭ４４は、ＣＰＵ４０により実行されるシステムプログラム，アプリケーションプログラムなどを記憶している。またＲＯＭ４４には、多数台分の携帯電話２の電話機能用のＩＤ情報が記録されるようになっており、さらに各電話機能用のＩＤ情報に１対１で対応付けられた状態で撮影機能用のＩＤ情報も記録されるようになっている。
【００９７】
第２の通信部４５は、携帯電話２の通信部２９との通信などを可能にするインターフェースである。
【００９８】
次に、図１１を参照しながら携帯電話２の撮影機能を有効にするときの携帯電話２、サーバ４及びサーバ６の動作並びに携帯電話２とサーバ４との間でおこなわれる動作をそれぞれ説明する。
【００９９】
図１１は携帯電話２及びサーバ４の各ＣＰＵ２０，４０が実行する処理であって、携帯電話２の電話機能を有効にする処理を示すフローチャートである。
【０１００】
まず、本フローチャートに入る前段階として、携帯電話２の電話機能及び撮影機能のうち、電話機能に関する使用許諾契約だけが結ばれるか、又は携帯電話２の電話機能及び撮影機能の両機能の使用許諾契約が結ばれると、契約対象となった通信サービス事業者が管理するサーバ６よりユーザとの間でかわされた契約状況がネットワーク５を介してＲＯＭ４４に記録される（図９参照）。
【０１０１】
そして携帯電話２の電話機能に関する使用許諾契約が結ばれたら、携帯電話２の通信部２９とサーバ４の第２の通信部４５とが専用のケーブルにより接続され、サーバ６が電話機能用のＩＤ情報を携帯電話２に付与する処理をおこなう。これにより、電話機能用のＩＤ情報が携帯電話２のＲＯＭ２４に記録され、携帯電話２は電話本来の電話機能用が有効な状態になる。
【０１０２】
携帯電話２の電話機能が有効になってユーザによる携帯電話２の入力部２１の操作で電源部２７から電源が投入されたら、携帯電話２の無線通信部２３とサーバ４の第１の通信部４２とがネットワーク５を介して互いに通信可能な状態となる（図９参照）。
【０１０３】
この状態において、携帯電話２のＣＰＵ２０が、ＲＯＭ２４に記録された電話機能用のＩＤ情報を無線通信部２３からサーバ４に送信する（ステップＡ１）。これに応じてサーバ４の第１の通信部４２が電話機能用のＩＤ情報を受信すると、サーバ４のＣＰＵ４０は、第１の通信部４２で受信した電話機能用のＩＤ情報を認識し（ステップＢ１）、その電話機能用のＩＤ情報に基づき、通信サービス事業者で撮影機能に関する使用許諾契約も結ばれているか否かを判定する（ステップＢ２）。
【０１０４】
携帯電話２の撮影機能に関する使用許諾契約も結ばれていたら（ステップＢ３：ＹＥＳ）、サーバ４のＣＰＵ４０は、携帯電話２から受信した電話機能用のＩＤ情報に対応付けられた撮影機能用のＩＤ情報をＲＯＭ４４から読み出し、その撮影機能用のＩＤ情報を通信部４０から携帯電話２に送信する（ステップＢ４）。
【０１０５】
一方、ステップＢ２の処理でサーバ４のＣＰＵ４０により携帯電話２の撮影機能に関する使用許諾契約が結ばれていないと判定されたら（ステップＢ２：ＮＯ）、サーバ４から携帯電話２に撮影機能用のＩＤ情報は送信されず、携帯電話２の撮影機能を有効にするためのサーバ４で実行される処理がすべて終了する。この場合、携帯電話２の側では、ＣＰＵ２０が所定の時間を経過してもサーバ４から返信がないことを認識して、ＣＰＵ２０は携帯電話２の撮影機能が無効である旨をユーザに通知する処理をおこない、表示部３２のディスプレイに「撮影機能無効」などのメッセージを表示させる。
【０１０６】
そして、ステップＢ３の処理でサーバ４のＣＰＵ４０が撮影機能用のＩＤ情報を携帯電話２に送信してこれに応じて携帯電話２の無線通信部２３が撮影機能用のＩＤ情報を受信すると、携帯電話２のＣＰＵ２０は、無線通信部２３で受信した撮影機能用のＩＤ情報をＲＡＭ２５に記録し（ステップＡ２）、その撮影機能用のＩＤ情報が正規の情報であるか否かを判定する（ステップＡ３）。わかりやすく説明すると、ステップＡ３の処理では、無線通信部２３で受信した撮影機能用のＩＤ情報が、携帯電話２の通信サービス事業者で定められた正規の情報であるか否かの真偽が確かめられる。
【０１０７】
無線通信部２３で受信した撮影機能用のＩＤ情報が正規の情報であったら（ステップＡ３：ＹＥＳ）、携帯電話２のＣＰＵ２０は、その携帯電話２の撮影機能を有効にする処理をおこない（ステップＡ４）、携帯電話２はユーザによる入力部２１の操作により上記第１の実施形態で図４〜図６を参照しながら説明したような処理（複数のモードのなかから撮影モード，閲覧モード，転送モードにはいるのを許容する処理）をおこなうことができるようになって、携帯電話２の撮影機能を有効にするための携帯電話２で実行される処理がすべて終了する。
【０１０８】
一方、無線通信部２３で受信した撮影機能用のＩＤ情報が正規の情報でなかったら（ステップＡ３：ＮＯ）、携帯電話２のＣＰＵ２０は、撮影機能が無効である旨をユーザに通知する処理をおこない（ステップＡ５）、表示部３２のディスプレイに「撮影機能無効」などのメッセージを表示させて、携帯電話２の撮影機能を有効にするための携帯電話２で実行される処理がすべて終了する。
【０１０９】
なお、ネットワークシステム１００では、ステップＡ２の処理でサーバ４から受信した撮影機能用のＩＤ情報は上記の通り携帯電話２のＲＡＭ２４に記録されるが、この情報は、携帯電話２に電源が投入されている期間中に限りＲＡＭ２４に記録されたまま維持され、携帯電話２の電源が解除されるとＲＡＭ２４から消去されるようになっている。そしてユーザによる携帯電話２の入力部２１の操作で電源部２７から電源が投入されたら、携帯電話２によるステップＡ２からステップＡ５までの処理と、サーバ４によるステップＢ２からステップＢ４までの処理とが繰り返しおこなわれるようになっている。
【０１１０】
以上のネットワークシステム１００では、ユーザと通信サービス事業者との間で携帯電話２の電話機能に関する使用許諾契約が結ばれたときに、ネットワーク５を介した携帯電話２とサーバ４との間の通信が可能となり、そしてさらに携帯電話２の撮影機能に関する使用許諾契約が結ばれていたら、ネットワーク５を介して撮影機能用のＩＤ情報がサーバ４から携帯電話２に付与され、その結果、携帯電話２の撮影機能を有効にすることができるようになっている。すなわちネットワークシステム１００では、携帯電話２の電話機能に関する使用許諾契約が結ばれない限り、携帯電話２とサーバ４との間の通信が不可となって携帯電話２の撮影機能を有効にすることができない。したがって、携帯電話２の電話機能に関する使用許諾契約が結ばれているか否かで携帯電話２の撮影機能を制限することができ、これによりユーザが無償で携帯電話２をデジタルカメラの代用品として使用するのを防止することができる。またネットワークシステム１００では、上記ステップＡ３の処理において携帯電話２で撮影機能用のＩＤ情報の真偽を確かめるため、第３者による不正な撮影機能用のＩＤ情報の付与を防止することができ、ユーザが無償で携帯電話２をデジタルカメラの代用品として使用するのを確実に防止することができる。
【０１１１】
なお、本発明は上記の第１及び第２の実施形態に限定されることなく、本発明の主旨を逸脱しない範囲において種々の改良及び設計の変更をおこなってもよい。
【０１１２】
例えば、上記第１及び第２の実施形態では、携帯電話２の撮影機能が有効か無効かにより撮影部２６による被写体の撮影が可能か不可かを決定したが、被写体までの距離・焦点位置を検出して焦点を合わせる「オートフォーカス機能」が携帯電話２の撮影部２６に具備されている場合には、携帯電話２の撮影機能が無効のときに、被写体に対するピントを無限大距離から所定の距離（例えば５ｍ）までしか合わせられないようにし、携帯電話２の撮影機能が有効のときに、被写体に対するピントを無限大距離からマクロ距離（例えば１０ｃｍ）に至るまで合わせることができるようにしてもよい。また、本実施の形態（第１の実施の形態）においては、撮影機能用のＩＤ情報が付与されていないときは閲覧モードの使用を禁止していたが、撮影モードのみを禁止しても良い。
【図面の簡単な説明】
【０１１３】
【図１】第１の実施形態におけるシステムの構成を示す概念図である。
【図２】携帯電話の内部構成を示すブロック図である。
【図３】コンピュータの内部構成を示すブロック図である。
【図４】コンピュータのＣＰＵが実行する処理であって、携帯電話の電話機能又は撮影機能を有効にする処理を示すフローチャートである。
【図５】携帯電話のＣＰＵが実行する被写体の撮影処理を示すフローチャートである。
【図６】携帯電話のＣＰＵが実行する画像データの閲覧処理を示すフローチャートである。
【図７】携帯電話のＣＰＵが実行する画像データの転送処理を示すフローチャートである。
【図８】コンピュータのＣＰＵが実行する処理であって、携帯電話の電話機能又は撮影機能を無効にする処理を示すフローチャートである。
【図９】第２の実施形態におけるネットワークシステムの構成を示す概念図である。
【図１０】サーバの内部構成を示すブロック図である。
【図１１】携帯電話及びサーバの各ＣＰＵが実行する処理であって、携帯電話の電話機能を有効にする処理を示すフローチャートである。
【符号の説明】
【０１１４】
１…システム
２…携帯電話（携帯機器）
３…コンピュータ（管理システム）
４…サーバ
５…ネットワーク
２０…ＣＰＵ（判別手段、制限手段、記憶制御手段、解除手段）
２４…ＲＯＭ（記憶手段）
２６…撮影部（撮影手段）
３０…ＣＰＵ（管理手段）
３５…通信部（送信手段）
４０…ＣＰＵ（管理手段）
４５…第２の通信部（送信手段）
１００…ネットワークシステム（管理システム）
【図１】
2005057469.tif 000003
【図２】
2005057469.tif 000004
【図３】
2005057469.tif 000005
【図４】
2005057469.tif 000006
【図５】
2005057469.tif 000007
【図６】
2005057469.tif 000008
【図７】
2005057469.tif 000009
【図８】
2005057469.tif 000010
【図９】
2005057469.tif 000011
【図１０】
2005057469.tif 000012
【図１１】
2005057469.tif 000013